(57)【要約】      （修正有）【課題】器具本体が設置された状態で光源ユニットを容易に取り外すことができる照明器具を提供する。【解決手段】照明器具１０は、内部に中空部２２が形成され凹部開口２１が形成された箱体であり、両側面に開口部２０ａがそれぞれ形成された器具本体２０と、凹部開口２１に載置され、器具本体１０に取り付けられる光源ユニット３０と、光源ユニット３０に設けられ、中空部２２に収容されて開口部２０ａに係合し、光源ユニット３０を器具本体２０に取り付ける取付ばね３１と、を備える。取付ばね３１は、光源ユニット３０に取り付けられる基部と、基部の両端側に設けられ、光源ユニット３０が凹部開口２１に載置されて器具本体２０に取り付けられた状態で、開口部２０ａから外側に突出する突出部と、を有する。【選択図】図３
2019106257.tif 000002
【特許請求の範囲】
【請求項１】
内部に中空部が形成され凹部開口が形成された箱体であり、両側面に開口部がそれぞれ形成された器具本体と、
前記凹部開口に載置され、前記器具本体に取り付けられる光源ユニットと、
前記光源ユニットに設けられ、前記中空部に収容されて前記開口部に係合し、前記光源ユニットを前記器具本体に取り付ける取付ばねと、を備え、
前記取付ばねは、
前記光源ユニットに取り付けられる基部と、
前記基部の両端側に設けられ、前記光源ユニットが前記凹部開口に載置されて前記器具本体に取り付けられた状態で、前記開口部から外側に突出する突出部と、を有する
照明器具。
【請求項２】
前記突出部は、
前記光源ユニット側に傾斜している
請求項１記載の照明器具。
【請求項３】
前記取付ばねは、
前記突出部から延び、前記光源ユニットが前記凹部開口から離間して前記器具本体に仮保持された状態で、前記開口部から外側に突出する先端部を更に有する
請求項１又は２記載の照明器具。
【請求項４】
前記器具本体は、
内面から内側に突出し、前記光源ユニットが前記凹部開口に載置される際、前記先端部が前記器具本体の両側方向に移動するようにガイドする突起を有する
請求項３記載の照明器具。
【請求項５】
前記光源ユニットが前記凹部開口に載置された状態で、前記先端部が前記器具本体の内面を押圧して、前記取付ばねが外側に付勢される
請求項３又は４記載の照明器具。
【請求項６】
前記突出部が前記器具本体の内側に向けて押し込まれたとき、前記突出部と前記開口部との係合が解除されて、前記光源ユニットが前記器具本体から取り外される
請求項１〜５のいずれか１項に記載の照明器具。
【発明の詳細な説明】
【技術分野】
【０００１】
本発明は、取付ばねによって器具本体に取り付けられる光源ユニットを備える照明器具に関する。
【背景技術】
【０００２】
光を天井又は壁等に投射したときに反射する反射光を利用する間接照明等は、照明器具が狭い空間に設置されることが多い。このため、光源ユニットが器具本体から容易に着脱することができることが求められている。従来、板バネ状係止部材によって器具本体にＬＥＤ照明ユニットが取り付けられる照明器具が知られている（例えば特許文献１参照）。特許文献１は、板バネ状係止部材が器具本体に設けられた係止孔に係止されることによって、ＬＥＤ照明ユニットが器具本体に取り付けられる。
【先行技術文献】
【特許文献】
【０００３】
【特許文献１】特開２０１６−８１７６６号公報
【発明の概要】
【発明が解決しようとする課題】
【０００４】
光源ユニットは、交換等のために器具本体から取り外される場合がある。この場合、交換作業を容易にするために、器具本体が設置されたまま光源ユニットが取り外されることが求められる。しかしながら、特許文献１に開示されたＬＥＤ照明器具は、板バネ状係止部材が係止孔に係止されると、板バネ状係止部材が器具本体の内側に収容されるため、板バネ状係止部材に触れることができない。このため、器具本体が設置された状態で、板バネ状係止部材の係止を解除することが困難である。よって、器具本体が設置されたまま、光源ユニットを取り外すことが難しい。
【０００５】
本発明は、上記のような課題を解決するためになされたもので、器具本体が設置された状態で光源ユニットを容易に取り外すことができる照明器具を提供するものである。
【課題を解決するための手段】
【０００６】
本発明に係る照明器具は、内部に中空部が形成され凹部開口が形成された箱体であり、両側面に開口部がそれぞれ形成された器具本体と、凹部開口に載置され、器具本体に取り付けられる光源ユニットと、光源ユニットに設けられ、中空部に収容されて開口部に係合し、光源ユニットを器具本体に取り付ける取付ばねと、を備え、取付ばねは、光源ユニットに取り付けられる基部と、基部の両端側に設けられ、光源ユニットが凹部開口に載置されて器具本体に取り付けられた状態で、開口部から外側に突出する突出部と、を有する。
【発明の効果】
【０００７】
本発明によれば、取付ばねの突出部は、光源ユニットが器具本体に取り付けられた状態で、開口部から外側に突出している。このため、光源ユニットが器具本体に取り付けられても、取付ばねに触れることができる。このため、器具本体が設置された状態で、突出部と開口部との係合を解除することができる。従って、器具本体が設置された状態で光源ユニットを容易に取り外すことができる。
【図面の簡単な説明】
【０００８】
【図１】実施の形態１に係る照明器具１０を示す組立斜視図である。
【図２】実施の形態１に係る照明器具１０を示す側面図である。
【図３】実施の形態１に係る照明器具１０を示す分解斜視図である。
【図４】実施の形態１に係る照明器具１０を示す正面図である。
【図５】実施の形態１における取付ばね３１を示す斜視図である。
【図６】実施の形態１における取付ばね３１を示す正面図である。
【図７】実施の形態１に係る照明器具１０が組み立てられる様子を示す図である。
【図８】実施の形態１における光源ユニット３０が器具本体２０に仮保持された状態を示す図である。
【図９】実施の形態１における光源ユニット３０が器具本体２０に取り付けられた状態を示す断面図である。
【図１０】実施の形態２に係る照明器具１１０を示す断面図である。
【図１１】実施の形態２に係る照明器具１１０を示す断面図である。
【図１２】実施の形態３に係る照明器具２１０を示す断面図である。
【図１３】実施の形態３に係る照明器具２１０を示す断面図である。
【発明を実施するための形態】
【０００９】
実施の形態１．
以下、本発明に係る照明器具の実施の形態について、図面を参照しながら説明する。図１は、実施の形態１に係る照明器具１０を示す組立斜視図であり、図２は、実施の形態１に係る照明器具１０を示す側面図である。図１及び図２に示すように、照明器具１０は、長手方向に延びて長尺状をなしている。照明器具１０は、天井等の被取付部（図示せず）に取り付けられる器具本体２０と、器具本体２０に取り付けられる光源ユニット３０と、光源ユニット３０を器具本体２０に取り付ける取付ばね３１とを備えている。
【００１０】
図３は、実施の形態１に係る照明器具１０を示す分解斜視図である。図３に示すように、器具本体２０は、被取付部に取り付けられる面に対向する面が凹部開口２１となっており、内部に中空部２２が形成された直方体状の箱体である。器具本体２０の両側面には、開口部２０ａが形成されており、器具本体２０の中空部２２には、光源ユニット３０の一部が挿入される。これにより、照明器具１０が構成されている。また、器具本体２０の中空部２２には、電源装置（図示せず）及び端子台（図示せず）等が収容されている。
【００１１】
図４は、実施の形態１に係る照明器具１０を示す正面図である。図４に示すように、光源ユニット３０は、器具本体２０の凹部開口２１に載置され、光を照射するＬＥＤ３２と、複数のＬＥＤ３２が実装された基板３３とを有する。また、光源ユニット３０は、基板３３が取り付けられるフレーム３４と、基板３３を覆うようにフレーム３４に取り付けられるカバー３５とを有している。ＬＥＤ３２は、長手方向に一列に複数並べられている。基板３３は、長手方向に延び、複数のＬＥＤ３２が実装されている。フレーム３４は、長手方向に延びる板状の部材であり、一側面に基板３３が取り付けられ、他側面に取付ばね３１が取り付けられる。カバー３５は、ＬＥＤ３２から照射される光の配光を制御する。
【００１２】
図５は、実施の形態１における取付ばね３１を示す斜視図であり、図６は、実施の形態１における取付ばね３１を示す正面図である。図５及び図６に示すように、取付ばね３１は、器具本体２０の中空部２２に、電源装置及び端子台等と干渉しないように収容される。取付ばね３１は、フレーム３４に取り付けられる基部４０と、基部４０の両端側に設けられる突出部５０と、突出部５０から延びる先端部６０とを有している。基部４０は、フレーム３４に取り付けられる基端部４１と、基端部４１の両端に接続され、基端部４１から内側に折り曲げられた第１の折り曲げ部４２とを有している。また、基部４０は、第１の折り曲げ部４２の先端に接続され、第１の折り曲げ部４２から更に内側に折り曲げられた第２の折り曲げ部４３を有している。
【００１３】
突出部５０は、第２の折り曲げ部４３の先端に接続され、鋭角状に折り返された形状をなしている。図４に示すように、突出部５０は、光源ユニット３０が凹部開口２１に載置されて器具本体２０に取り付けられた状態で、開口部２０ａを通って器具本体２０の内側から外側に突出する。ここで、一方の突出部５０から他方の突出部５０までの自然長は、器具本体２０の幅よりも長い。
【００１４】
先端部６０は、突出部５０に接続され内側に向かって延びる第１の先端折り曲げ部６１と、第１の先端折り曲げ部６１の先端に接続され、第１の先端折り曲げ部６１から外側に折り曲げられた第２の先端折り曲げ部６２とを有している。また、先端部６０は、第２の先端折り曲げ部６２の先端に接続され更に外側に折り曲げられた仮保持部６３を有している。仮保持部６３は、光源ユニット３０が器具本体２０に仮保持された状態で、開口部２０ａを通って器具本体２０の内側から外側に突出する。仮保持部６３は、引掛け形状をなしている。ここで、一方の仮保持部６３から他方の仮保持部６３までの自然長は、器具本体２０の幅よりも長い。
【００１５】
図７は、実施の形態１に係る照明器具１０が組み立てられる様子を示す図である。次に、光源ユニット３０が器具本体２０に取り付けられるときの動作について説明する。図７に示すように、先ず、光源ユニット３０の取付ばね３１の仮保持部６３が、器具本体２０の上端部に当たった状態で、光源ユニット３０が器具本体２０側に移動される。その際、２つの突出部５０が内側に押し込まれ、仮保持部６３同士の距離が器具本体２０の幅よりも短くされる。これにより、２つの仮保持部６３が器具本体２０に挿入されることが可能となる。ここで、一方の仮保持部６３から他方の仮保持部６３までの自然長が器具本体２０の幅よりも長いため、取付ばね３１は外側に付勢される。
【００１６】
図８は、実施の形態１における光源ユニット３０が凹部開口２１から離間して器具本体２０に仮保持された状態を示す図である。図８に示すように、光源ユニット３０が器具本体２０側に移動されると、やがて、仮保持部６３が器具本体２０の開口部２０ａに挿入されて開口部２０ａに係合される。このとき、仮保持部６３同士は近づいているため、取付ばね３１は外側に付勢されている。従って、取付ばね３１が開口部２０ａから自然に外れることはない。これにより、光源ユニット３０が器具本体２０に仮保持される。
【００１７】
仮保持において、フレーム３４と器具本体２０との間には、取付ばね３１があるのみであり、取付ばね３１がない部分には一時的に空間Ｓが形成される。このため、フレーム３４と器具本体２０との間の空間Ｓを利用して、配線作業等を行うことができる。このように、本実施の形態１では、光源ユニット３０が器具本体２０に仮保持されるため、光源ユニット３０の基板３３と器具本体２０の内部に設けられた端子台等とを接続する配線の作業等を容易に行うことができる。
【００１８】
光源ユニット３０が器具本体２０に仮保持された状態において、開口部２０ａから突出した仮保持部６３が内側に押し込まれると、仮保持部６３と開口部２０ａとの係合が解除される。仮保持部６３と開口部２０ａとの係合が解除された状態で、更に、２つの突出部５０が内側に押し込まれ、突出部５０同士の距離が器具本体２０の幅よりも短くされる。これにより、２つの突出部５０が器具本体２０に挿入されることが可能となる。ここで、一方の突出部５０から他方の突出部５０までの自然長が器具本体２０の幅よりも長いため、取付ばね３１は外側に付勢される。
【００１９】
そして、更に光源ユニット３０が器具本体２０側に移動されると、図４に示すように、突出部５０が器具本体２０の開口部２０ａに挿入されて開口部２０ａに係合される。このとき、突出部５０同士は近づいているため、取付ばね３１は外側に付勢されている。従って、取付ばね３１が開口部２０ａから自然に外れることはない。これにより、光源ユニット３０が器具本体２０に着脱自在に固定される。
【００２０】
図９は、実施の形態１における光源ユニット３０が器具本体２０に取り付けられた状態を示す図であり、図２のＡ−Ａ断面図である。図９に示すように、光源ユニット３０が器具本体２０に取り付けられた状態で、取付ばね３１は、内側に縮められており、先端部６０の仮保持部６３が器具本体２０の内面を押圧している。即ち、取付ばね３１は、初期状態Ｆに比べて縮められている。このため、取付ばね３１は外側に付勢されている。ここで、突出部５０が開口部２０ａに係合しているため、取付ばね３１の外側に戻ろうとする反発力が抑制されている。
【００２１】
次に、光源ユニット３０が器具本体２０から取り外されるときの動作について説明する。光源ユニット３０が器具本体２０に取り付けられた状態において、開口部２０ａから突出した突出部５０が内側に押し込まれると、突出部５０と開口部２０ａとの係合が解除される。これにより、抑制されていた取付ばね３１の反発力が開放されて、光源ユニット３０を器具本体２０から押し出す方向に力が作用する。従って、光源ユニット３０を器具本体２０から容易に取り外すことができる。
【００２２】
本実施の形態１によれば、取付ばね３１の突出部５０は、光源ユニット３０が器具本体２０に取り付けられた状態で、開口部２０ａから外側に突出している。このため、光源ユニット３０が器具本体２０に取り付けられても、取付ばね３１に触れることができる。このため、器具本体２０が設置された状態で、突出部５０と開口部２０ａとの係合を解除することができる。従って、器具本体２０が設置された状態で光源ユニット３０を容易に取り外すことができる。
【００２３】
また、光源ユニット３０は、フレーム３４の一部が器具本体２０に挿入されていることで、フレーム３４が挿入時のガイドになり、取り付けし易くすることができる。
【００２４】
実施の形態２．
図１０は、実施の形態２に係る照明器具１１０を示す断面図である。本実施の形態２は、突出部１５０が傾斜している点で、実施の形態１と相違する。本実施の形態２では、実施の形態１と共通する部分は同一の符号を付して説明を省略し、実施の形態１との相違点を中心に説明する。
【００２５】
図１０に示すように、突出部１５０は、光源ユニット３０側に傾斜している。即ち、突出部１５０と器具本体２０の側壁とのなす角度が鋭角となっている。これにより、突出部１５０は、開口部２０ａから露出した状態で、光源ユニット３０側に傾いている。これにより、突出部１５０が意図的に押し込まれていない状態で、意図せず水平方向の力が突出部１５０に働いても、突出部１５０が開口部２０ａに引っ掛かって係合が解除されない。このように、本実施の形態２は、突出部１５０が傾斜しているため、突出部１５０が開口部２０ａに係合する力が強化されている。
【００２６】
図１１は、実施の形態２に係る照明器具１１０を示す断面図であり、図１０の破線枠内を拡大した図面である。図１１に示すように、光源ユニット３０が器具本体２０に取り付けられた状態において、開口部２０ａから突出した突出部１５０が内側に押し込まれる。本実施の形態２では、突出部１５０が傾斜しているため、突出部１５０には水平方向ではなく斜め方向に力が加えられる。突出部１５０が水平方向に押し込まれると、先端部６０が器具本体２０の内側の中央方向にずれるだけで、光源ユニット３０を効率的に押し上げないおそれがある。これに対し、本実施の形態２は、斜め方向に力が加わることで仮保持部６３が本来の位置（コーナー）を維持し、効果的に光源ユニット３０を押し上げることができる。
【００２７】
突出部１５０が斜め方向に力が加えられることにより、先端部６０の移動と共に突出部１５０も移動する。従って、突出部１５０と開口部２０ａとの係合が解除される。このように、突出部１５０が傾斜していることにより、光源ユニット３０が器具本体２０から取り外されることを補助することができる。
【００２８】
実施の形態３．
図１２は、実施の形態３に係る照明器具２１０を示す断面図である。本実施の形態３は、器具本体２０が突起２２０ｂを有している点で、実施の形態１と相違する。本実施の形態３では、実施の形態１と共通する部分は同一の符号を付して説明を省略し、実施の形態１との相違点を中心に説明する。
【００２９】
図１２に示すように、突起２２０ｂは、器具本体２０の内面から内側に突出し、光源ユニット３０が器具本体２０に取り付けられる際、先端部６０が器具本体２０の両側方向に移動するようにガイドする。これにより、先端部６０の仮保持部６３が器具本体２０の内面を確実に押圧する。
【００３０】
図１３は、実施の形態３に係る照明器具２１０を示す断面図であり、図１２の破線枠内を拡大した図面である。図１３に示すように、光源ユニット３０が器具本体２０に取り付けられた状態において、開口部２０ａから突出した突出部５０が内側に押し込まれる。本実施の形態３では、実施の形態１と同様に突出部５０が水平であるため、突出部５０には水平方向に力が加えられる。
【００３１】
このとき、突出部５０が水平方向に移動して、仮保持部６３が水平方向に移動しても、突起２２０ｂに当たって、光源ユニット３０側にガイドされるため、先端部６０が器具本体２０の内側の中央方向にずれることを抑制することができる。このように、器具本体２０に突起２２０ｂが設けられていることにより、光源ユニット３０が器具本体２０から取り外されることを補助することができる。
【００３２】
なお、光源ユニットは、光源ユニット３０の形状だけでなく、器具本体２０に入り込む形状でもよい。また、器具本体は、反射板を設けるような形状でもよい。反射板に開口部２０ａが形成されることによって、実施の形態１〜３と同様の効果を得ることができる。また、取付ばね３１は、板材を曲げて形成された板ばねだけでなく、線材を曲げて形成されたものでもよい。また、取付ばね３１の一部のみに線材が用いられてもよい。
【符号の説明】
【００３３】
１０  照明器具、２０  器具本体、２０ａ  開口部、２１  凹部開口、２２  中空部、３０  光源ユニット、３１  取付ばね、３２  ＬＥＤ、３３  基板、３４  フレーム、３５  カバー、４０  基部、４１  基端部、４２  第１の折り曲げ部、４３  第２の折り曲げ部、５０  突出部、６０  先端部、６１  第１の先端折り曲げ部、６２  第２の先端折り曲げ部、６３  仮保持部、１１０  照明器具、１５０  突出部、２１０  照明器具、２２０ｂ  突起。
【図１】
2019106257.tif 000003
【図２】
2019106257.tif 000004
【図３】
2019106257.tif 000005
【図４】
2019106257.tif 000006
【図５】
2019106257.tif 000007
【図６】
2019106257.tif 000008
【図７】
2019106257.tif 000009
【図８】
2019106257.tif 000010
【図９】
2019106257.tif 000011
【図１０】
2019106257.tif 000012
【図１１】
2019106257.tif 000013
【図１２】
2019106257.tif 000014
【図１３】
2019106257.tif 000015